(57)【要約】【課題】継手本体にカバー材を装着してなる樋エルボ継手を、カバー材を精密に加工しなくともカバー材の端部同士が隙間を作らずに綺麗に継ぎ合わせることができるように構成する。【解決手段】略Ｌ字形に屈曲していて竪樋の端部内面に嵌合する差口が両端に設けられた継手本体２と、一側を傾斜端部とした竪樋と同一断面形状を呈する一体のカバー材３，３により樋エルボ継手１を構成し、継手本体２の差口２１の外面にカバー材３の端部３２が係合する押さえリブ２１ａを設けるとともに、屈曲部２２の対角外面に周方向に連続して突出した鍔部２３を設け、この鍔部２３の両側にカバー材３，３の傾斜端部３１，３１を当接させてカバー材３，３を継手本体２の表面に接着固定する。【選択図】図４
2014181534.tif 000002
【特許請求の範囲】
【請求項１】
略Ｌ字形に屈曲していて両端部に竪樋の端部内面に嵌合する差口がそれぞれ設けられた継手本体と、一側の端部を傾斜させてなる前記竪樋と同一断面形状を呈する筒体であって前記両差口からそれぞれ継手本体に装着されて継手本体の外面に取り付けられる一対のカバー材からなる樋エルボ継手であって、
前記継手本体はその両差口の外面にカバー材の端部が係合する凸状の押さえリブが設けられているとともに、屈曲部の外面に当該屈曲部の内折れ部と外折れ部の中央を通って周方向に連続して突出した鍔部が設けられており、
継手本体に装着された両カバー材がその傾斜した端部を前記屈曲部外周面の鍔部に当接させ、且つ他側の端部を差口の押さえリブに係合させて継手本体に取り付けられるようにした構成を有することを特徴とする樋エルボ継手。
【請求項２】
継手本体がその屈曲部の外折れ部を湾曲させて形成されているとともに、当該外折れ部外面の湾曲面内に鍔部と交差して継手本体の両端部側へそれぞれ伸びた突部が設けられた構成を有することを特徴とする請求項１に記載の樋エルボ継手。
【発明の詳細な説明】
【技術分野】
【０００１】
本発明は、集水器と竪樋や竪樋と這い樋などの、竪樋の配管接続に使用される樋エルボ継手の構造に関する。
【背景技術】
【０００２】
従来の樋エルボ継手として、図５（Ａ）に示されるように、略Ｌ字形に屈曲した継手本体１００に、竪樋の管面を略４５度の傾斜角度で切断して形成した一対のカバー材１０１，１０１を装着し、端部を突き合わせてＬ字型に接続したカバー材１０１，１０１を継手本体１００の外面に一体に接着して構成されたものが知られている（例えば特許文献１参照）。
また、同図（Ｂ）に示されるように、継手本体１００の差込み部の外面に軸方向に伸びたリブ１００ａ，１００ａを突設する一方、カバー材１０１，１０１の内面にリブ１００ａ，１００ａが嵌合する凹溝１０１ａ，１０１ａをそれぞれ形成し、樋エルボ継手を組み立てる際に、予め継手本体１００のリブ１００ａ，１００ａに接着剤を塗布しておき、両リブ１００ａ，１００ａにカバー材１００，１００の凹溝１０１ａ，１０１ａを嵌合させることにより、継手本体１００周面の所定位置にカバー材１０１，１０１が装着固定されるように構成されたものが知られている（例えば特許文献２参照）。
【先行技術文献】
【特許文献】
【０００３】
【特許文献１】実開平４−１２９２３９号公報
【特許文献２】特開２００５−８９９９４号公報
【発明の概要】
【発明が解決しようとする課題】
【０００４】
従来の樋エルボ継手において、継手本体１００の外周面に沿ってＬ字型に接続するカバー材１０１，１０１が竪樋を切断して形成されるものであれば、専用の部材の成形が不要となって配管接続に要する部材コストを抑えることができる。
しかし、端部が所定の傾斜角度となるように竪樋の管面を斜めに正確に切断し、カバー材１０１の傾斜端部を精密な寸法精度に加工するのは容易ではなく、竪樋の切断位置がずれてしまい易い。
接続するカバー材１０１，１０１のうちの一方の切断端面がゆがんでいたり傾斜角度が僅かにずれていたりすると、切断端面同士をぴったりと接合させて接続することができず、接合部分に隙間ができて外観上の見栄えが悪くなってしまう。接合部分に隙間があると、そこから水が漏れ出す事態も生じ兼ねない。そのため、従来のものでは、カバー材１０１の傾斜端部が所定の寸法精度となるまでカットアンドトライを繰り返して竪樋を切断したり、或いは竪樋を切断するための専用の治具を製作したりするなど加工コストが高くならざるを得なかった。
【０００５】
また、図５（Ｂ）に示される樋エルボ継手は、竪樋を切断して得られる薄肉なカバー材１０１の内面に凹溝１０１ａを形成することは極めて困難で実用的ではなく、さらに、従来の樋エルボ継手は、継手本体１００の表面にカバー材１０１，１０１を装着した後、接着剤が固化するまでカバー材１０１，１０１を装着位置に保持しなければならず、組み立ての際に適宜な保持手段を別途用意しておく必要がある。
【０００６】
本発明は従来の技術の有するこのような問題点に鑑み、継手本体にカバー材を装着してなる樋エルボ継手を、カバー材を精密に加工しなくとも継手本体の表面でカバー材の端部同士を綺麗に継ぎ合わせることができるようにし、また、保持手段を用いなくとも、継手本体に装着されたカバー材を装着位置に固定して保持することができるように構成することを課題とする。
【課題を解決するための手段】
【０００７】
前記課題を解決するため本発明は、略Ｌ字形に屈曲していて両端部に竪樋の端部内面に嵌合する差口がそれぞれ設けられた継手本体と、一側の端部を傾斜させてなる前記竪樋と同一断面形状を呈する筒体であって前記両差口からそれぞれ継手本体に装着されて継手本体の外面に取り付けられる一対のカバー材からなる樋エルボ継手において、前記継手本体はその両差口の外面にカバー材の端部が係合する凸状の押さえリブが設けられているとともに、屈曲部の外面に当該屈曲部の内折れ部と外折れ部の中央を通って周方向に連続して突出した鍔部が設けられており、継手本体に装着された両カバー材がその傾斜した側の端部を前記屈曲部外周面の鍔部に当接させ、且つ他側の端部を差口の押さえリブに係合させて継手本体に取り付けられるようにした構成を有することを特徴とする。
【０００８】
本発明の樋エルボ継手の組み立ては、継手本体の表面又は両カバー材の内面に接着剤を塗布し、或いは継手本体と両カバー材の両方に接着剤を塗布した状態で、継手本体の両側の差口に、両カバー材をそれぞれの傾斜端部の側から差し込んで、継手本体の外面にカバー材を装着することにより行われる。継手本体に装着されたカバー材は、その傾斜端部が継手本体の屈曲部外周面に設けられた鍔部に当接し、且つ他側の端部が差口に設けられた押さえリブに係合して装着位置に保持される。
【０００９】
組み立てられた樋エルボ継手は、その屈曲部の内折れ部と外折れ部の対角部に沿って突出した鍔部の両側に両カバー材の傾斜端部がそれぞれ当接し、恰も屈曲部に沿って装着されたカバー材を鍔部で分断した如き、屈曲部中央に表出した鍔部が目立つ外観のものとなる。そのため、鍔部に当接するカバー材の傾斜端部の端面が若干ゆがんでいたり傾斜角度がずれていたりしていても、外観上、屈曲部の対角部沿って伸びた鍔部が目立つため、鍔部に当接するカバー材の端面のゆがみやずれは目に付き難く、カバー材の傾斜端部同士の継ぎ合わせ部分の外観を綺麗に収めることができる。
精密な寸法に加工されていないカバー材の傾斜端部同士を直に接合した場合、継ぎ合わせ部分に大きな隙間や撓んだ部分ができることがあるが、前記の通り継手本体の屈曲部に設けた鍔部を介して前記傾斜端部を接続することで、鍔部との間にできる隙間や撓みは極めて小さなものとなって目に付き難く、また、継手本体に設けた鍔部は接着剤を堰き止める堤の機能をなすため、鍔部に当接したカバー材の傾斜端部を鍔部に沿って確実に接着させることができる。
また、カバー材は、その他側の端部が継手本体の差口に設けられた押さえリブに係合して装着位置に保持されるため、継手本体に装着したまま放置しておけば接着剤の固化によりカバー材は装着位置に固定され、カバー材を装着位置に保持するための手段は用いずに継手本体に一体に取り付けることができる。
カバー材の傾斜端部同士を直に接合固定する従来の樋エルボ継手では、継手本体の両端部の差口からカバー材を同時に差込んで傾斜端部同士を接合させ、接着剤が固まるまで接合状態が保持されるように両カバー材を固定しておく必要があったが、本発明の樋エルボ継手では、両カバー材を同時に操作する必要はなく、一方のカバー材を継手本体に装着して固定した後に他方のカバー材を装着するなど、継手本体にカバー材を片方づつ装着し固定するという簡易な操作によって組み立てることが可能である。
【００１０】
前記構成の樋エルボ継手において、その内部を雨水がスムーズに流れるように、継手本体はその屈曲部の外折れ部が湾曲して形成されていることが好ましく、また、カバー材を継手本体に装着した際に、その傾斜端部が継手本体の屈曲部外周面に嵌合するように、前記屈曲部の外折れ部外面の湾曲面内に、鍔部と交差して継手本体の両端部側へそれぞれ伸びた突部が設けられていることが好ましい。
【発明の効果】
【００１１】
本発明の樋エルボ継手によれば、継手本体の差口にカバー材を差し込んで、その傾斜端部を継手本体の鍔部に当接させ、且つ他側の端部を押さえリブに係合させるという簡易な装着操作により組み立てることができる。継手本体へのカバー材の取り付けは、片方の差口毎で別々に行え、接着剤が固まるまでにカバー材を装着位置に保持する手段は不要であり、また、カバー材はその傾斜端部が継手本体の鍔部に当接する位置で固定されるように設けてあるので、継手本体に対するカバー材の取り付け位置を微調整することなく、鍔部に傾斜端部が当接するようにカバー材を押し込むだけで所定の固定位置に取り付けることが可能である。
また、本発明の樋エルボ継手は、カバー材の傾斜端部が継手本体の鍔部に沿って固定され、屈曲部の中央に表出した鍔部が目立つ外観を呈するため、カバー材の傾斜端部の端面が若干ゆがんでいたり傾斜角度がずれていたりしていても目に付き難く、傾斜端部が精密な加工精度で形成されていないカバー材を用いた場合であっても、鍔部を介したカバー材の傾斜端部同士の継ぎ合わせ部分の外観を綺麗に収めることができる。
継手本体に装着するカバー材を形成するにあたっては、傾斜端部の精密な加工精度は要求されず、カバー材の傾斜端部の加工が粗かったり若干の寸法誤差があったりするものでも用いることができるので、カバー材の製作コストが抑えられ、特に竪樋を切断してカバー材を形成する場合に、特別な加工治具を用いることなく、切断操作に時間をかけることなく、短時間の加工作業でカバー材を製作することができ、前記組み立て作業の簡易性と相俟って、樋エルボ継手の部材コストや加工コストの低廉化及び生産性の向上を実現することができる。
【図面の簡単な説明】
【００１２】
【図１】本発明の一実施形態の樋エルボ継手を用いた竪樋の配管接続の一態様を示した図である。
【図２】図１の樋エルボ継手の平面図と側面図である。
【図３】図１の樋エルボ継手を片方のカバー材を分離した状態の横断面図である。
【図４】図１の樋エルボ継手の継手本体とカバー材を分離した状態の外観図である。
【図５】（Ａ），（Ｂ）はそれぞれ従来の樋エルボ継手の構成例を示した図である。
【発明を実施するための形態】
【００１３】
本発明の好適な実施形態を、図面を参照して説明する。
図１は本発明の一実施形態の樋エルボ継手を用いて竪樋を配管接続する態様を示している。同図において、符号１は樋エルボ継手、２は継手本体、３はカバー材、４は竪樋本体であり、この樋エルボ継手１は、屋根から軒下に至る竪樋配管経路上の竪樋本体４を流れる雨水の流路の方向を曲げる部分に設置され、その両端に断面略正方形に形成されたアルミニウム製の竪樋本体４，４の端部が一体に接続するように形成してある。
【００１４】
図２〜図４に示されるように、樋エルボ継手１は、略Ｌ字形に屈曲していて両端部に竪樋本体４の端部内面に嵌合する差口２１，２１がそれぞれ設けられた合成樹脂製の継手本体２に、前記竪樋本体４の管面を略４５度の傾斜角度で切断して形成した一対のカバー材３，３を装着し、継手本体２の外面にカバー材３，３を一体に接着して構成してある。
【００１５】
詳しくは、継手本体２は、断面略正方形の筒体をその中央で９０度に屈曲した形状を呈しており、その両端の差口２１，２１が竪樋本体４の端部内周面に圧密に嵌合する寸法に形成され、差口２１を形成する四周面の各外面に後述するカバー材３の端部３２が係合する凸状の押さえリブ２１ａが各々設けられているとともに、両差口２１，２１の間の屈曲部２２の外折れ部２２ａを、緩やかに湾曲して両差口２１，２１に連なる湾曲面としてある。
【００１６】
また、前記屈曲部２２の外面には、屈曲部２２の外折れ部２２ａと内折れ部２２ｂの対角中央を通って周方向に連続していて、屈曲部２２の表面から適宜な高さで突出した鍔部２３が設けられているとともに、前記外折れ部２２ａの湾曲した外面中央に、鍔部２３と交差して両差口２１，２１側へとそれぞれ伸びた突部２４，２４が設けてある。
鍔部２３と突部２４の屈曲部２２の表面からの突出高さは、鍔部２３が、継手本体２にカバー材３を差し込んだときに後述するカバー材３の傾斜端部３１の端面全周が鍔部２３の側部に当接する高さに設定され、突部２４が前記差し込まれたカバー材３の傾斜端部３１の内面に嵌合する高さに設定してある。
【００１７】
カバー材３，３は、前記の通り竪樋本体４を切断して形成され、一側の端部を端面が略４５度で傾斜した傾斜端部３１とし、当該傾斜端部３１から他側の端部３２までの長さを、カバー材３を継手本体２の差口２１から装着し、前記鍔部２３に傾斜端部３１を当接した状態で前記差口２１に設けた押さえリブ２１ａに端部３２が係合する長さに設定して形成してある。
【００１８】
継手本体２とカバー材３，３からなる樋エルボ継手１の組み立ては、継手本体２の表面又はカバー材３，３の内面に接着剤を塗布した状態で、継手本体２の差口２１，２１に、カバー材３，３をそれぞれの傾斜端部３１側から差し込んで、継手本体２の外面にカバー材３，３を装着することにより行われ、装着されたカバー材３，３は、その傾斜端部３１，３１が継手本体２の屈曲部２２の外周面に設けられた鍔部２３に当接し、且つ他側の端部３２，３２が差口２１、２１に設けられた押さえリブ２１ａ，２１ａに係合して装着位置に保持され、接着剤の固化により一体に組み付けられる。カバー材３，３は、その他側の端部３２，３２が継手本体２の差口２１，２１に設けられた押さえリブ２１ａ，２１ａに係合して装着位置に保持されるため、カバー材３，３を装着位置に保持するための手段は不要である。
【００１９】
組み立てられた樋エルボ継手１は、その屈曲部２２の外折れ部２２ａと内折れ部２２ｂの対角部に沿って突出した鍔部２３の両側にカバー材３，３の傾斜端部３１，３１がそれぞれ当接し、屈曲部２２の中央に表出した鍔部２３が目立つ外観のものとなるため、鍔部２３に当接するカバー材３，３の傾斜端部３１，３１の端面が若干ゆがんでいたり傾斜角度がずれていたりしていても、外観上、ゆがみやずれは目に付き難く、カバー材３，３の傾斜端部３１，３１同士の継ぎ合わせ部分の外観を綺麗に収めることができる。
また、樋エルボ継手１は、その差口２１，２１に竪樋本体４，４の端部を接続して、屋根から軒下に至る竪樋の配管経路を構成し、前述の通り、継手本体２の屈曲部２２の外折れ部２２ａを湾曲面としてあるので、上流の竪樋本体４から流入する雨水を下流の竪樋本体４へとスムーズに流し落とすことができる。
【００２０】
なお、図示した樋エルボ継手１は、断面略四角形の竪樋本体４，４同士を接続できるように差口２１，２１を断面略四角形に設けたが、円形断面の竪樋など、接続する竪樋の形状に対応して差口２１を適宜な断面形状に設けることができる。カバー材３は、竪樋本体４を切断して形成されるものの他に、専用に形成したものや適宜な手段で形成したものを用いることができる。
また、図示した樋エルボ継手は本発明の実施形態の一例を示すものであり、本発明は図示した形態のものに限定されず、他の適宜な形態で構成することが可能である。
【符号の説明】
【００２１】
１  樋エルボ継手、２  継手本体、２１  差口、２１ａ  押さえリブ、２２  屈曲部、２２ａ  外折れ部、２２ｂ  内折れ部、２３  鍔部、２４  突部、３  カバー材、３１  傾斜端部、３２  端部、４  竪樋本体
【図１】
2014181534.tif 000003
【図２】
2014181534.tif 000004
【図３】
2014181534.tif 000005
【図４】
2014181534.tif 000006
【図５】
2014181534.tif 000007